(57)【要約】  本発明の課題は、Ｔ字体を有する子宮内装置用インサータのプランジャであって、第一端および第二端、ならびにプランジャの長手方向の第一寸法を有し、プランジャの長手が長手方向に垂直の断面の直径よりも実質的に大きく、かつプランジャの断面が実質的円形であり、かつプランジャを貫通する開口部（１７）が、開口部の長軸がプランジャの長軸と実質的同一になるように、長手方向に配置されたプランジャを提供することにある。本発明によるプランジャは、プランジャの第一端の開口部が先端部を形成する長軸の方向に対して垂直方向に拡大するように配置され、それにより先端部が、先端部の長手の少なくとも一部に沿って、長軸と平行の第一面に対して少なくとも３５°回転しかつ長軸に対して所定角度の面に対して少なくとも３５°回転した少なくとも一つの面（６，７，８，９，１０，１１）を有することを特徴とする。
2007511310.tif 000002
【特許請求の範囲】
【請求項１】
Ｔ字体を有する子宮内装置用インサータのためのプランジャであって、
第一端および第二端、ならびに
プランジャの長手方向の第一寸法を有し、
プランジャの長さは長手方向に垂直の断面の直径よりも実質的に大きく、かつ
プランジャの断面は実質的円形であり、かつ
プランジャを貫通する開口部が、開口部の長軸がプランジャの長軸と実質的同一となるように、長手方向に配置されているプランジャにおいて、
プランジャの第一端の開口部は先端部を形成する長軸の方向に対して垂直方向に拡大するように配置され、それにより先端部が、先端部の長手の少なくとも一部に沿って長軸と平行の第一平面に対して少なくとも３５°回転しかつ長軸に対して所定角度の平面に対して少なくとも３５°回転した少なくとも一つの面を有することを特徴とする、プランジャ。
【請求項２】
長軸の方向に所定角度を形成する前記平面は長軸の方向に対して垂直であることを特徴とする、請求項１のプランジャ。
【請求項３】
少なくとも一つの面は第一平面に対して９０°回転しかつ所定角度の平面に対して９０°回転していることを特徴とする、請求項１または２のプランジャ。
【請求項４】
前記先端部は二つの面を有することを特徴とする、請求項１から３のいずれか１のプランジャ。
【請求項５】
前記二つの面は一対の面の一方を形成していることを特徴とする、請求項４のプランジャ。
【請求項６】
前記一対の面の一方を形成する二つの面は長軸に平行の第二平面に対して相互に対称的であり、それにより第二平面は第一平面に対して垂直であることを特徴とする、請求項５のプランジャ。
【請求項７】
少なくとも一つの面を更に含み、前記少なくとも一つの面は第一平面と実質的平行であることを特徴とする、請求項１から６のいずれか１のプランジャ。
【請求項８】
前記先端部は四つの面を有することを特徴とする、請求項１から７のいずれか１のプランジャ。
【請求項９】
前記四つの面は二対の面を形成し、二対の面は長軸に平行の第一平面に対して相互に対称的であることを特徴とする、請求項８のプランジャ。
【請求項１０】
少なくとも一対の面において対を形成する二つの面は長軸に平行の第二平面に対して相互に対称的であり、それにより第二平面は第一平面に対して垂直であることを特徴とする、請求項９のプランジャ。
【請求項１１】
前記二対の面は相互に対して連結されていることを特徴とする、請求項９または１０のプランジャ。
【発明の詳細な説明】
【技術分野】
【０００１】
本発明はインサータ（inserter)のプランジャの先端（tip)の装置に関する。特に、本発明はＴ字体を有する子宮内装置用インサータのためのプランジャに関し、このプランジャは第一端および第二端、ならびにプランジャの長手方向である第一寸法を有し、プランジャの長手が長手方向に垂直の断面の直径よりも実質的に大きく、かつプランジャの断面が実質的円形であり、かつプランジャを貫通する開口部が、開口部の長軸がプランジャの長軸と実質的同一になるように、長手方向に配置されている。
【背景技術】
【０００２】
既知インサータ、例えば子宮内装置を位置決めするために使用されるインサータにおいて、子宮内装置は、通常、かかる装置をインサータの先端およびプランジャを介して所定場所へ引っ張ることによりインサータのプランジャ内に設置されるように構成される。そのために、先端は、子宮内装置に損傷を与えることなく装置をインサータ内に引っ張ることのできるように設計されなければならない。
【０００３】
代表的子宮内装置は、一つの本体部と二つの枝部を有する、所謂Ｔ字体を有し、金属スパイラルまたはホルモンカプセルがＴ字体内に設置される。本体部の端はループを有しストリングがそこに取り付けられていて、ストリングにより装置をプランジャへ引っ張り、かつ使用後に子宮から除去する。子宮内装置は代表的には前方でこのループによりプランジャへ引っ張られる。従って、プランジャが装置をプランジャの正確な位置、即ちループ（そしてＴ字体の残部）を損傷することなく、誘導することが重要である。
【０００４】
子宮内装置が間違った位置へ引き込まれる場合には、インサータまたはプランジャの先端縁はループの縁を損傷する。かかる引っ張りが続きかつ子宮内装置が正確な位置へ運ばれない場合には、最終的にストリングがＴ字体のループを切断することになる。損傷したループの縁は、更にループそして装置をインサータまたはプランジャ内へ押し込む原因になる。
【０００５】
例えば、子宮内装置の位置決めに意図された従来技術によるインサータにおいて、プランジャの先端部は、装置のＴ字体を約３０°の角度から、そして５０％のケースにおいて６０°の角度から正確位置へ回転させるように形成される。この種の構造は添付図面の図１、そして特許ＦＩ９７９４６に示されている。
【０００６】
【特許文献１】ＦＩ９７９４６
【発明の開示】
【発明が解決しようとする課題】
【０００７】
本発明の課題は、上述の問題を解決するインサータのプランジャを提供することにある。特に、本発明の課題は、装置に対する損傷の危険性を最小限にできるようにプランジャ内への装置の位置決めを可能にする先端構造を有するインサータのプランジャを提供することである。
【課題を解決するための手段】
【０００８】
本発明の課題は添付の特許請求の範囲に記載された発明により達成される。
【０００９】
本発明の課題は、Ｔ字体を有する子宮内装置用インサータのためのプランジャであり、このプランジャは、第一端および第二端、ならびにプランジャの長手方向の第一寸法を有し、プランジャの長さは長手方向に垂直の断面の直径よりも実質的に大きく、かつプランジャの断面は実質的円形であり、かつプランジャを貫通する開口部が、開口部の長軸がプランジャの長軸と実質的同一となるように、長手方向に配置されている。
【００１０】
本発明によるインサータの本体は、プランジャの第一端の開口部が先端部を形成する長軸の方向に対して垂直方向に拡大するように配置され、それにより先端部が、先端部の長手の少なくとも一部に沿って、長軸と平行の第一平面に対して少なくとも３５°回転しかつ長軸に対して所定角度の平面に対して少なくとも３５°回転した少なくとも一つの面を有することを特徴とする。
【００１１】
本発明によるインサータのプランジャは、子宮内装置のインサータへの設置を促進する装置を先端部に有し、それにより子宮内装置への損傷を従来インサータよりも実質的に減少する。例えば、Ｔ字体を有する子宮内装置がプランジャへ設置される場合にプランジャの先端はＴ字体を実質的に大きい誤った角度から正確な位置へ回転させる。
【００１２】
プランジャの先端構造がＴ字体を９０°の角度からでも正確な位置へ回転させることが模型の使用により知見されている。
【００１３】
先端部の少なくとも一つの面は、例えば９０°の角度のような急激な不連続を伴わない一表面を意味する。
【００１４】
本発明の実施形態によれば、長軸に対して所定角度を形成する前記平面は長軸の方向に対して垂直である。本発明の他の実施形態によれば、少なくとも一つの面は第一平面に対して９０°回転しかつ所定角度の平面に対して９０°回転している。
【００１５】
本発明によるプランジャの先端部は一つまたはそれ以上の面を有する。例えば、二、三、四、五、六、七、八、九、十または十二面であってよい。
【００１６】
本発明によるプランジャにおいて、先端部の面は複数対の面を形成してよい。
【００１７】
本発明の一実施形態によれば、二つの面が一対の面を形成し、そのようにして対の面を形成する二つの面が長軸に平行の第二平面に対して相互に対称的であり、第二平面は第一平面に対して垂直である。
【００１８】
本発明の他の実施形態によれば、先端部は四つの面を有し、四つの面は二対の面を形成し、二対の面は長軸に平行の第一平面に対して相互に対称的である。更に、少なくとも一対の面、例えば第二対面において、対を形成する二つの面は長軸に平行の第二平面に対して相互に対称的であり、第二平面は第一平面に対して垂直である。二対の面において、対を形成する面は平面に対して相互に対称的であることが有利である。
【００１９】
実施形態において、対の面は相互に連結されていてよい。換言すれば、先端構造は必ずしも直角または不連続点を含む必要はない。対の面は、図面を参照して後述するように、相互に連結されなくてもよい。
【００２０】
しかし、図示された一実施形態によれば、先端構造は直角を含んでよい。
【００２１】
本発明によるプランジャは、第一平面と実質的平行である少なくとも一つの面を更に含んでよい。
【００２２】
本発明の一実施形態によれば、一つの面または複数面のうちの一面は二つの平面に対して実質的９０°回転する。当然ながら、二つまたは三つの面が二つの平面に対して実質的９０°回転していてよく、それにより他の面が、例えば４５°、６０°、７０°または８２°等の他の角度に対応して回転していてよい。一対の面を形成する二つの面が４５°または概ね実質的９０°未満回転している場合には、一種の鋭角が対の面の結合部分に生じる。
【００２３】
本発明の実施形態によれば、一つの面または複数面のうちの一面は、二つの平面の少なくとも一つの平面に対して実質的９０°回転している。一実施形態によれば、それらの面は全て二つの平面に対して実質的９０°回転していてよい。ただし、当業者に理解されるように、かかる面は、例えば、５０°、６０°、６５°、７０°、７５°、８２°、８７°、８９、９１°または９２°等回転していてよい。
【００２４】
一つまたはそれ以上の面は、プランジャの断面の平面方向に実質的平行の先端の全長に沿っていてよい。プランジャの断面の平面はプランジャの長軸に垂直の平面である。前記複数の面または一つの面は、先端部の長手に沿って、プランジャの断面の平面の方向とは異なる方向を有していてよい。換言すれば、面はプランジャの断面の平面に対して傾斜していてよい。自明なように、色々な組み合わせが可能であり、異なる面が先端部の長手に沿って異なる方向を有していてよい。
【００２５】
次に、本発明を、非制限的な図面を参照して更に詳細に説明する。
【発明を実施するための最良の形態】
【００２６】
図１は、子宮内装置の位置決めに使用される従来技術によるインサータのプランジャの先端構造(tip structure)を示す。
【００２７】
図２は本発明の第一実施形態によるプランジャの先端構造を示す。
この図は四つの面のうち三つ、即ち面１、２および３を示し、面１および２は一対の面を形成し、面３は第四面と対を形成する。この形態において、一対の面は相互に対して連結されている。
【００２８】
図３は本発明の第二形態によるプランジャの先端構造の長手断面を示す。この断面は長軸４に沿って切断されている。この図は一対の面が長軸４に平行の第一平面に対して相互に対称的であることを示す。この事例において、第一面は紙の表面に垂直である。この図は更に先端部の長さｈを示す。
【００２９】
図４および５は本発明の第三形態によるプランジャの先端構造を示す。図は四つの面６、７、８および９を示し、二つの面６および７は第一対面を形成し、かつ二つの面８および９は第二対面を形成する。図示形態において、全四つの面は二つの平面に対して実質的９０°回転している。この形態において、四つの面は相互に対して連結されていないが、面１０および１１は対面間に存在し、面１０および１１は、プランジャの断面の平面方向に実質的平行である。
【００３０】
図４は長軸と平行の第一面５を更に示し、一対の面は第一平面５に対して相互に対称的である。図５は図４と同様の形態のプランジャの先端を示すが、図５は第一平面５に垂直の平面１２を示す。
【００３１】
図６は本発明の第四形態によるプランジャの先端構造を、プランジャの第一端から見た状態で示す。この図は面１３、１４、１５および１６、ならびにプランジャ１７の開口部を示す。この図は開口部の長軸がプランジャの長軸と同一であることを示す。この図は、更に、面１３および１４により形成される対の面が面１５および１６により形成される対の面と対称的でないことを示すが、面１３および１４が、他方の面１５および１６よりも、上部の長手に沿った、回転が少ないことを示す。この形態において、先端は外シエル１８を更に有し、外シエルは先端部の全長に沿って実質的均一の壁厚を有する。図２に示された形態はこれと同様の外シエルを有する。
【００３２】
図示第四形態は、更に、第三形態の面（１０および１１）に対応する面１９および２０を有し、かつこれらの面１９および２０はプランジャの断面の平面方向に実質的平行である。
【００３３】
図７は本発明の第五形態によるプランジャの先端構造を示す。
この形態において、先端構造は面２１を有し、この面２１はプランジャの断面の方向に実質的平行、即ちプランジャ端面の方向に実質的平行である。更に、先端構造はこの面２１に隣接して面２２を有し、面２２は下縁で面２１に対して垂直であり、そこからかつプランジャ端面の方向へ向かって回転して端面に近接している。これは、第二平面に対して対称的な一対の面を形成する。先端構造の他側は、弓状の面２３により形成されている。この形態において、先端構造の他側は正確位置へ向いかつ回転し、他側は誤った位置の創出を阻止し、かつインサータが先端構造内に残留するのを阻止する。
【図面の簡単な説明】
【００３４】
【図１】子宮内装置の位置決めを意図した従来技術によるインサータのプランジャの先端構造を示す。
【図２】本発明の第一実施形態によるプランジャの先端構造を示す。
【図３】本発明の第二実施形態によるプランジャの先端構造の長手断面を示す。
【図４】本発明の第三実施形態によるプランジャの先端構造を示す。
【図５】本発明の第三実施形態によるプランジャの先端構造を示す。
【図６】プランジャの第一端から見た本発明の第要四実施形態によるプランジャの先端構造を示す。
【図７】本発明の第五実施形態によるプランジャの先端構造を示す。
【図１】
2007511310.tif 000003
【図２】
2007511310.tif 000004
【図３】
2007511310.tif 000005
【図４】
2007511310.tif 000006
【図５】
2007511310.tif 000007
【図６】
2007511310.tif 000008
【図７】
2007511310.tif 000009
【手続補正書】
【提出日】平成17年8月27日(2005.8.27)
【手続補正１】
【補正対象書類名】特許請求の範囲
【補正対象項目名】全文
【補正方法】変更
【補正の内容】
【特許請求の範囲】
【請求項１】
Ｔ字体を有する子宮内装置用インサータのためのプランジャであって、
第一端および第二端、ならびに
プランジャの長手方向の第一寸法を有し、
プランジャの長さが長手方向に垂直の断面の直径よりも実質的に大きく、かつ
プランジャの断面が実質的円形であり、かつ
プランジャを貫通する開口部が、開口部の長軸がプランジャの長軸と実質的同一になるように、長手方向に配置され、
プランジャの第一端の開口部は先端部を形成する長軸の方向に対して垂直方向に拡大するように配置され、それにより先端部が、先端部の長手の少なくとも一部に沿って、長軸と平行の第一平面に対して少なくとも３５°回転した少なくとも一つの面を有するプランジャにおいて、
前記少なくとも一つの面は、先端部の長手の少なくとも一部に沿って、長軸の方向に垂直の平面に対して少なくとも３５°回転していることを特徴とする、プランジャ。
【請求項２】
少なくとも一つの面は第一平面に対して９０°回転しかつ所定角度の平面に対して９０°回転していることを特徴とする、請求項１のプランジャ。
【請求項３】
前記先端部は二つの面を有することを特徴とする、請求項１または２のプランジャ。
【請求項４】
前記二つの面は一対の面の一方を形成していることを特徴とする、請求項３のプランジャ。
【請求項５】
前記一対の面の一方を形成する二つの面は長軸に平行の第二平面に対して相互に対称的であり、それにより第二平面は第一平面に対して垂直であることを特徴とする、請求項４のプランジャ。
【請求項６】
少なくとも一つの面を更に含み、前記少なくとも一つの面は第一平面と実質的平行であることを特徴とする、請求項１から５のいずれか１のプランジャ。
【請求項７】
前記先端部は四つの面を有することを特徴とする、請求項１から６のいずれか１のプランジャ。
【請求項８】
前記四つの面は、二対の面を形成し、二対の面は長軸に平行の第一平面に対して相互に対称的であることを特徴とする、請求項７のプランジャ。
【請求項９】
少なくとも一対の面において対を形成する二つの面は長軸に平行の第二平面に対して相互に対称的であり、それにより第二平面は第一平面に対して垂直であることを特徴とする、請求項８のプランジャ。
【請求項１０】
前記二対の面は相互に対して連結されていることを特徴とする、請求項８または９のプランジャ。
【国際調査報告】
2007511310.tif 000010
2007511310.tif 000011